(57)【要約】【課題】有害鳥獣を撃退する装置としてのロケット花火発射用具において、ロケット花火の到達距離を伸ばすとともに、導火線の燃えカスのほとんどを撒き散らすことのないロケット花火発射用具を提供する。【解決手段】筒体を有するロケット花火発射用具において、筒体の一端に弾性変形する容器体を設けた構成とした。ロケット花火の発射時に、容器体の弾性変形による作用によってロケット花火の射出が助勢される。また、点火に使用した導火線の燃えカスは、筒体内部を伝って容器体に入るので、撒き散らすことがない。【選択図】図１
2014036639.tif 000002
【特許請求の範囲】
【請求項１】
両端部が開放された筒体と、弾性変形する容器体とを有し、前記筒体のいずれか一端の開放部と前記容器体の開口部とを接合した構成のロケット花火発射用具。
【請求項２】
請求項１に記載のロケット花火発射用具であって、容器体を脱着可能としたことを特徴とする。
【請求項３】
前記弾性変形する容器体がアルミ製であることを特徴とする請求項１又は請求項２に記載のロケット花火発射用具。
【請求項４】
筒体に少なくともひとつの握り持ち部を設けた請求項１又は請求項２あるいは請求項３に記載のロケット花火発射用具。
【発明の詳細な説明】
【技術分野】
【０００１】
本発明は、ロケット花火の発射用具に関し、さらに詳しくは、有害鳥獣の撃退に用いるロケット花火の発射用具に関するものである。
【背景技術】
【０００２】
農作物等に被害を与える有害鳥獣を撃退するために、ロケット花火を利用した装置や道具が発明・考案されている。ロケット花火による撃退は、ロケット花火の発射による音や光および飛行物体によって有害鳥獣を脅かすことで、有害鳥獣がその場を離れるようにしむけるものである。相手が有害鳥獣であることから、できるだけ離れてロケット花火の発射ができることが作業安全上望ましい。
【０００３】
有害鳥獣の撃退に用いるロケット花火の発射用具としては、考案の名称を「花火銃」として、安全性とロケット花火の射程距離（飛距離）に着目した考案が公知となっている（特許文献１）。この考案は、筒体の略中央部にロケット花火挿入口と導火線保持部とを設け、さらに該筒体を挿通可能なカバー部を設けた構成であり、導火線を筒体の外側に出しつつもロケット花火を完全に筒体の中に入れることができるものである。このため、導火線への点火およびロケット花火本体の発射において安全性を有するとともに、筒体を飛び出すまでの少しの間ではあるが、ロケット花火の発射方向および発射角度が筒体によって誘導されるため、従来からある筒体からロケット花火の頭部分（薬室部分）を出した状態で点火するピストル型のものよりは発射角度を定めやすく、ロケット花火の射程距離（飛距離）も伸びる可能性がある。
【０００４】
また別のロケット花火の発射用具としては、どこにでも持ち運びができて、有害鳥獣に遭遇した場合には瞬時に対応出来、しかも手軽に扱えて安全で安価な道具を提供することをその課題とした発明が公知となっている（特許文献２）。当該発明は、硬質の円筒形状のものを砲身として、先端をロケット花火等の挿入兼発射口、砲身の途中に設けた開口部を点火口とし、砲身の一番手元を握り部分としたロケット花火等の発射装置である。この発明もロケット花火を筒体の中に完全に入れて発射するので、砲身の角度を調整することにより、ロケット花火の飛距離を伸ばせる可能性はある。
【０００５】
しかしながら、これらの考案・発明にかかる道具によるロケット花火は、飛距離の伸びがあるとしても、あくまで当該装置・用具の使用方法によるものであり、当該装置・道具の構成そのものによって飛距離を伸ばしているものではない。
【先行技術文献】
【特許文献】
【０００６】
【特許文献１】実用新案登録第３１２４４８４号公報
【特許文献２】特開２００７−９７５６４号公報
【発明の概要】
【発明が解決しようとする課題】
【０００７】
本願発明が解決しようとする課題は、ロケット花火発射用具の構造によって、ロケット花火の飛距離を伸ばすことである。
ロケット花火の飛距離を伸ばすことができれば、これまでよりも有害鳥獣に近寄らずに済み、撃退作業における安全性の確保にもつながる。
【課題を解決するための手段】
【０００８】
本願発明は、筒体を有するロケット花火発射用具において、筒体の一端に容器体を取り付けたことを特徴とするものである。
請求項１に記載の発明は、両端部が開放された筒体と、弾性変形する容器体とを有し、前記筒体のいずれか一端の開放部と前記容器体の開口部とを接合してなるロケット花火発射用具である。導火線に点火したロケット花火を筒体に入れ込んで発射する。
なお、弾性変形とは、外力を受けて変形した物体が、外力をとり除くと完全に元の形に戻るような変形を言う。
弾性変形する容器体としては、例えば、アルミ製や樹脂製の容器が考えられる。容器の形は特に限定するものではないが、筒体の延長上に該延長線と直交する底面を有するものが望ましい。身近にあるものとしては、飲料を入れて販売されているアルミ製ボトルやペットボトルを流用できる。
【０００９】
本願発明の構成によってロケット花火の飛距離が伸びることの理由については、次のように推察する。
点火した導火線からロケット花火本体の火薬が燃えてガスが発生する。ロケット花火は、このガスが後方に勢い良く吹き出すことで推進力を得て飛ぶ。筒体の後方に設けた弾性変形する容器体が、ロケット花火の推進力を受けることで膨張し、その後、元の形状に戻る時に容器内部の空気を押し出して、発射時のロケット花火に加勢し、結果としてロケット花火の飛距離を伸ばすことになるのではないかと考える。あるいは、ロケット花火からの燃焼ガスによって生じる圧力波が容器体内で反射して、ロケット花火の発射を助勢するのではないかとも推察する。
【００１０】
請求項２に記載の発明は、請求項１に記載のロケット花火発射用具において、容器体を脱着可能としたことを特徴とするものである。
脱着可能とする構成としては、筒体と容器体の接合部分に相対するねじを切ってはめ込むことや、ねじを切った小部品を筒体に取り付けて容器体にも設けたねじ部をはめ込むことが考えられる。この場合において、前述したアルミ製ボトルを流用すると容器体側にねじを切る必要がない。あるいは、容器体の全体又は一部を挟み込んで固定する構造としても良い。
【００１１】
請求項３に記載の発明は、前記弾性変形する容器体がアルミ製であることを特徴とする請求項１又は請求項２に記載のロケット花火発射用具である。アルミ製とは、アルミニウムやアルミニウム合金を主たる取材として使用していることを指す。前述したように、入手容易なアルミ製容器としては、飲料を入れた状態で販売されているアルミ製ボトルがある。
【００１２】
請求項４に記載の発明は、筒体に少なくともひとつの握り持ち部を設けた請求項１又は請求項２あるいは請求項３に記載のロケット花火発射用具である。握り持ち部としては、棒状のものでも良いし、銃のグリップのようなものでも良い。また、握り持ち部を筒体へ取り付けは、溶接やはめ込み式、取り付け用バンドを用いる方法などが考えられる。
【発明の効果】
【００１３】
本発明のロケット発射用具によれば、ロケット花火の射程距離が伸びるので、有害鳥獣との距離をこれまで以上にとることができる。有害鳥獣との距離を長くとれることは、撃退作業の安全性をも確保することにつながる。
また、ロケット花火への点火に用いた導火線の燃えカスのほとんどを容器体内に受けることになるため、燃えカスのほとんどを撒き散らすことがなく、自然環境にも良いというメリットも有する。
【００１４】
請求項２に記載の発明によれば、容器体を脱着可能としたことから、分解して持ち運び可能である。また、本願発明に係るロケット花火発射用具の幾度かの使用や持ち運びの際の衝撃などによって容器体を破損したとしても別な容器体に容易に交換できるという利点がある。さらには、容器体に溜まった導火線の燃えカスを捨てる際には、容器体を筒体から取り外して中の導火線の燃えカスを捨てることができるというメリットもある。
【００１５】
請求項３に記載の発明は、弾性変形する容器体としてアルミ製ボトルを用いているが、このアルミ製のボトルとして、市販されている飲料入りのものを流用すれば、容器体の入手が容易であるとともに、筒体との接続のためにねじを切る必要がない。
【００１６】
請求項４に記載の発明によれば、握り持ち部を握って構えることでロケット花火の発射方向を定めやすくなるという利点がある。
【図面の簡単な説明】
【００１７】
【図１】図１は本願発明に係るロケット花火発射用具の全体を示した説明図である。
【図２】図２は本願発明に係るロケット花火発射用具において、筒体と容器体との接続部分の内部構造を示した説明図である。
【図３】図３は、ロケット花火を示した説明図である。
【発明を実施するための形態】
【００１８】
ロケット花火の飛距離を伸ばすという目的を、容器体を設けることで実現した。
【実施例】
【００１９】
図を参照しながら、本願発明に係るロケット花火発射用具（以下「本願用具」と記す。）を説明する。なお、本願用具は、この実施例に限定されるものではない。図１における破線は、容器体３の底部の形状を表す破線部分を除いて、導火線１１に点火したあとのロケット花火１０を本願用具に入れ込んだ状態を表している。
【００２０】
筒体１は、内径１８ミリメートル、外形２２ミリメートル、長さ４０センチメートル程度の両端を開放したアルミニウム製パイプである。筒体１はステンレス製でも良いが、本実施例では軽さを考慮してアルミニウム製を用いた。
接続部品２は、筒体１と容器体３を接続するために筒体１の一端に取り付ける部品であって、筒体１をはめ込み可能な内径を有し、長さ４〜５センチメートル程度の円筒形の部品である。接続部品２の内側には、その長さの略中間までねじ５を切ってある。接続部品２のねじを切っていない部分に筒体１の一端を嵌め込み、抜けないように溶接する（図２参照）。
容器体３は、飲料を入れて市販されているアルミ製ボトルである。もちろん飲料は入っていない。本願用具を使用する際には、図２のように、容器体３の飲み口のねじ形状部分を接続部品２の内側に設けたねじ切り部５にはめ込んで使用する。移動時には、容器体３を接続部品２から取り外して持ち運ぶと、落としたりぶつけたりすることによる変形を防ぐことができる。
容器体３としては、ペットボトルを利用することもできるが、アルミ製ボトルと比べて、少ない数回の使用（ロケット花火の発射）でペットボトルが割れてしまうなど、あまり適しているとは言えない。
握り持ち部４は、外径３４ミリメートル程度のパイプを適宜長さに切ったもので、容器体３方向にわずかに傾きをもたせて握りやすいように取り付けた。図１においては握り持ち部４はひとつであるが、両手で保持できるように、ふたつ設けても良い。あるいは、複数設けて、どのような持ち方にも対応できるようにしても良い。
【００２１】
次に、人が立った状態での本用具の使用方法を説明する。もちろん本願用具の使用は、立ち位に限定されるものではなく、例えば、伏位や別体に本用具を固定しての使用もできる。なお以下の手順は一例であって、使用者によっては多少異なることもある。
【００２２】
まず、容器体３の飲み口部を接続部品２のねじ部５に嵌めこんで本用具の準備をする。ロケット花火１０の発射方向に体を向けて立ち、ロケット花火１０の竹ひご１３を筒体１に挿入するとともに、ロケット花火頭部１２と導火線１１とを筒体１の先端から出してセットする。次に、導火線１１に点火し、素早く本用具の筒体１の開放端側を上に向けてロケット花火１０を筒体１に入り込ませる。このとき、ロケット花火の竹ひご１３の端が容器体３の底部６に接しても良い。続いて、握り持ち部４を握った手の腕や手を動かしてロケット花火の発射方向の調整と発射角度を定めて発射を待つ。導火線１１からロケット花火頭部１２内の火薬に火が移り、ロケット花火が発射される。
【００２３】
本用具は、前記特許文献に見られるように、筒体１の中間部分にロケット花火挿入口を設けて、導火線への点火時の安全性を確保しても良い。また、筒体１の先端に突起状の照準装置である照星を設けたり、さらには照門も設けて、発射方向を狙いやすくしても良い。
【産業上の利用可能性】
【００２４】
本願に係る発明は、有害鳥獣の撃退用途はもとより、通常のロケット花火打ち上げ用の用具にも応用できる。
【符号の説明】
【００２５】
１    筒体
２    接続部品
３    容器体
４    握り持ち部
５    ねじ部
６    容器体底部
１０  ロケット花火
１１  導火線
１２  ロケット花火頭部
１３  竹ひご
【図１】
2014036639.tif 000003
【図２】
2014036639.tif 000004
【図３】
2014036639.tif 000005